(57)【要約】【課題】携帯電話機に接続することでＩＣタグ読取装置を安価でコンパクトに構成し、ＩＣタグ内の情報を手軽に読み取って利用し得るようにすることにある。【解決手段】携帯電話機４に接続されて用いられるＩＣタグ読取装置１において、ＩＣタグに対し電波を介して情報を送受信可能なＲＦＩＤモジュール２と、前記ＲＦＩＤモジュールの作動を制御して前記ＩＣタグから情報を読み取るとともに、前記携帯電話機の電子メール送受信機能の作動を制御して、前記ＩＣタグからの情報をその携帯電話機に電子メールの内容として転送し、前記ＩＣタグからの情報をその携帯電話機が電子メールで送信し得るようにする制御手段３とを具えてなる、携帯電話機用ＩＣタグ読取装置である。【選択図】図１
0003104763.tif 000002
【実用新案登録請求の範囲】
【請求項１】
携帯電話機（４，８）に接続されて用いられるＩＣタグ読取装置（１，１１，２１，３１）において、
ＩＣタグ（６）に対し電波を介して情報を送受信可能なＲＦＩＤモジュール（２）と、
前記ＲＦＩＤモジュールの作動を制御して前記ＩＣタグから情報を読み取るとともに、前記携帯電話機の電子メール送受信機能の作動を制御して、前記ＩＣタグからの情報をその携帯電話機に電子メールの内容として転送し、前記ＩＣタグからの情報をその携帯電話機が電子メールで送信し得るようにする制御手段（３）と、
を具えてなる、携帯電話機用ＩＣタグ読取装置。
【請求項２】
前記制御手段（３）は、前記転送したＩＣタグからの情報に対応するデータベースを持つサーバのメールアドレスを電子メールのあて先として記憶するとともにそのデータベースの種類を電子メールの題名として記憶しているあて先メモリ（３ｂ）を有し、前記携帯電話機の電子メール送受信機能の作動を制御して、その携帯電話機に、前記あて先メモリが記憶しているあて先のサーバ（７）へ向けて、前記転送したＩＣタグからの情報を電子メールで送信させることを特徴とする、請求項１記載の携帯電話機用ＩＣタグ読取装置。
【請求項３】
前記制御手段（３）は、前記ＩＣタグからの情報を一旦記憶する情報メモリ（３ｂ）を有することを特徴とする、請求項１または２記載の携帯電話機用ＩＣタグ読取装置。
【請求項４】
前記制御手段（３）は、前記ＩＣタグからの情報と制御情報とをＵＳＢ対応データとして前記携帯電話機（８）のＵＳＢ端子へ出力することを特徴とする、請求項１から３までの何れか記載の携帯電話機用ＩＣタグ読取装置。
【請求項５】
前記制御手段（３）は、前記ＩＣタグからの情報と制御情報とをシリアルデータとして前記携帯電話機（４）のシリアル端子へ出力することを特徴とする、請求項１から３までの何れか記載の携帯電話機用ＩＣタグ読取装置。
【請求項６】
前記制御手段（３）が出力する前記ＩＣタグからの情報と制御情報とのシリアルデータをＵＳＢ対応データに変換して前記携帯電話機（８）のＵＳＢ端子へ出力するＵＳＢホスト手段（９）を具えることを特徴とする、請求項５記載の携帯電話機用ＩＣタグ読取装置。
【請求項７】
前記制御手段（３）が出力する前記ＩＣタグからの情報と制御情報とのシリアルデータを赤外線データに変換して前記携帯電話機（４，８）の赤外線端子へ出力する赤外線通信モジュール（１０）を具えることを特徴とする、請求項５記載の携帯電話機用ＩＣタグ読取装置。
【考案の詳細な説明】
【技術分野】
【０００１】
この考案は、携帯電話機に接続されて用いられるＩＣタグ読取装置に関するものである。
【背景技術】
【０００２】
近年、商品の在庫や流通の管理等のために、送受信回路およびメモリ等を小さなパッケージに収容したＩＣチップとそこに接続された送受信およびＩＣチップへの電力供給用のコイルとを具えるＩＣタグが多用されるようになってきている。
【考案の開示】
【考案が解決しようとする課題】
【０００３】
しかしながら、かかるＩＣタグのメモリ内の情報の読み取りには、従来は専用のＩＣタグ読取装置が用いられており、この専用のＩＣタグ読取装置は、送受信回路で構成されるＲＦＩＤ（Radio Frequency IDentification）リーダ回路およびそこに接続されたアンテナと、そのＲＦＩＤリーダ回路に接続されそのＲＦＩＤリーダ回路がＩＣタグから読み取ったＩＤ（識別表示）情報を含む情報を表示等するパーソナルコンピュータとを具えてなるのが通常である。
【０００４】
それゆえ従来は、ＩＣタグ読取装置が高価で嵩張るものとなり、ＩＣタグ内の情報を手軽に読み取って利用することができないという不都合があった。
【課題を解決するための手段】
【０００５】
上記課題を有利に解決するこの考案の携帯電話機用ＩＣタグ読取装置は、携帯電話機に接続されて用いられるＩＣタグ読取装置において、ＩＣタグに対し電波を介して情報を送受信可能なＲＦＩＤモジュールと、前記ＲＦＩＤモジュールの作動を制御して前記ＩＣタグから情報を読み取るとともに、前記携帯電話機の電子メール送受信機能の作動を制御して、前記ＩＣタグからの情報をその携帯電話機に電子メールの内容として転送し、前記ＩＣタグからの情報をその携帯電話機が電子メールで送信し得るようにする制御手段と、を具えてなるものである。
【考案の効果】
【０００６】
かかるＩＣタグ読取装置にあっては、ＲＦＩＤ（Radio Frequency IDentification）モジュールが、ＩＣタグに対し電波を介して情報を送受信し、制御手段が、前記ＲＦＩＤモジュールの作動を制御して前記ＩＣタグから情報を読み取るとともに、前記携帯電話機の電子メール送受信機能の作動を制御して、前記ＩＣタグからの情報をその携帯電話機に電子メールの内容として転送し、前記ＩＣタグからの情報をその携帯電話機が電子メールで送信し得るようにする。
【０００７】
従って、この考案の携帯電話機用ＩＣタグ読取装置によれば、ＩＣタグからの情報を携帯電話機から電子メールで送信し得るので、例えばそのＩＣタグからの情報を、携帯電話機の画面上に表示させて確認したり、その情報に対応するデータベースを持つサーバに送信して、その情報（例えば商品の識別番号等）に対応する詳細情報（例えば商品の仕様情報）をデータベースで検索させ、サーバから上記携帯電話機に送り返させたりするといった利用方法が可能になる。
【０００８】
しかも、この考案の携帯電話機用ＩＣタグ読取装置によれば、既に広く普及している携帯電話機に接続するので、安価でコンパクトに構成することができ、それゆえＩＣタグ内の情報を手軽に読み取って利用することができる。
【０００９】
なお、この考案の携帯電話機用ＩＣタグ読取装置においては、前記制御手段は、前記転送したＩＣタグからの情報に対応するデータベースを持つサーバのメールアドレスを電子メールのあて先として記憶するとともにそのデータベースの種類を電子メールの題名として記憶しているあて先メモリを有し、前記携帯電話機の電子メール送受信機能の作動を制御して、その携帯電話機に、前記あて先メモリが記憶しているあて先のサーバへ向けて、前記転送したＩＣタグからの情報を電子メールで送信させるものであってもよい。このようにすれば、ＩＣタグからの情報をそれに対応するデータベースを持つサーバに送信して、その情報（例えば商品の識別番号等）に対応する詳細情報（例えば商品の仕様情報）をデータベースで検索させ、サーバから上記携帯電話機に送り返させるといった利用方法を、利用者によるそのサーバのアドレス入力を不要とし得て、極めて容易なものとすることができる。
【００１０】
また、この考案の携帯電話機用ＩＣタグ読取装置においては、前記制御手段は、前記ＩＣタグからの情報を一旦記憶する情報メモリを有するものであってもよい。このようにすれば、制御手段がＩＣタグからの情報を直接携帯電話機に転送せずにメモリに一旦記憶するので、情報の読取速度と読取精度とを高めることができる。
【００１１】
さらに、この考案の携帯電話機用ＩＣタグ読取装置においては、前記制御手段は、前記ＩＣタグからの情報と制御情報とをＵＳＢ対応データとして前記携帯電話機のＵＳＢ端子へ出力するものであってもよい。このようにすれば、この考案の携帯電話機用ＩＣタグ読取装置を、ＦＯＭＡ（Freedom Of Mobile multimedia Access）方式の携帯電話機等の、ＵＳＢ（Universal Serial Bus）端子を持つ携帯電話機に接続して用いることができる。
【００１２】
また、この考案の携帯電話機用ＩＣタグ読取装置においては、前記制御手段は、前記ＩＣタグからの情報と制御情報とをシリアルデータとして前記携帯電話機のシリアル端子へ出力するものであってもよい。このようにすれば、この考案の携帯電話機用ＩＣタグ読取装置を、ＰＤＣ（Personal Digital Cellular）方式の携帯電話機等の、シリアル端子を持つ携帯電話機に接続して用いることができる。
【００１３】
さらに、この考案の携帯電話機用ＩＣタグ読取装置においては、前記制御手段が出力する前記ＩＣタグからの情報と制御情報とのシリアルデータをＵＳＢ対応データに変換して前記携帯電話機のＵＳＢ端子へ出力するＵＳＢホスト手段を具えていてもよい。このようにすれば、この考案の携帯電話機用ＩＣタグ読取装置を、ＦＯＭＡ方式の携帯電話機等の、ＵＳＢ端子を持つ携帯電話機の他、ＰＤＣ方式の携帯電話機等の、シリアル端子を持つ携帯電話機にも接続して用いることができる。
【００１４】
さらに、この考案の携帯電話機用ＩＣタグ読取装置においては、前記制御手段が出力する前記ＩＣタグからの情報と制御情報とのシリアルデータを赤外線データに変換して前記携帯電話機の赤外線端子へ出力する赤外線通信モジュールを具えていてもよい。このようにすれば、ＩＣタグ読取装置と携帯電話機とを接続コードで接続する必要がないので、簡単かつ迅速に、ＩＣタグ読取装置から携帯電話機へＩＣタグからの情報を送ることができる。
【考案を実施するための最良の形態】
【００１５】
以下に、この考案の実施の形態を実施例によって、図面に基づき詳細に説明する。ここに、図１は、この考案の携帯電話機用ＩＣタグ読取装置の第１実施例の構成を示す構成図、図２（ａ），（ｂ）および（ｃ）は、その第１実施例の携帯電話機用ＩＣタグ読取装置の外観を示す正面図、背面図および側面図、そして図３（ａ），（ｂ）および（ｃ）は、その第１実施例の携帯電話機用ＩＣタグ読取装置と携帯電話機との複数種類の接続方法を示す説明図であり、図中、符号１はその第１実施例の携帯電話機用ＩＣタグ読取装置を示す。
【００１６】
この第１実施例のＩＣタグ読取装置１は、ＰＤＣ方式の携帯電話機に対応するもので、図１に示すように、通常のＲＦＩＤリーダ回路２ａとアンテナ２ｂとシリアルインターフェイス２ｃとを持つ、ＲＦＩＤモジュールとしてのＲＦＩＤリーダ部２と、通常のＣＰＵ３ａとメモリ３ｂと二つのシリアルインターフェイス３ｃ，３ｄとを持つ、制御手段としてのマイコン（マイクロコンピュータ）部３と、それらに電源を供給する図示しない電池とを具えており、ここにおけるＲＦＩＤリーダ部２とマイコン部３とは、それぞれのシリアルインターフェイス２ｃ，３ｃを介して互いに情報（データ）のやり取りを行う。またここにおけるマイコン部３はもう一方のシリアルインターフェイス３ｄを、後述の如くしてＰＤＣ方式の携帯電話機４のシリアル端子に接続される。
【００１７】
またこの第１実施例のＩＣタグ読取装置１は、図２に示すように、厚さが薄い箱型のケース５を具えており、上記ＲＦＩＤリーダ部２とマイコン部３とはこのケース５内に収納され、このケース５の表面には、当該ＩＣタグ読取装置１を起動してこのＩＣタグ読取装置１にＩＣタグ内の情報を読み取らせるための読取ボタン５ａと、上記もう一方のシリアルインターフェイス３ｄを携帯電話機４のシリアル端子に接続するためのコネクタ５ｂとが設けられている。
【００１８】
上記もう一方のシリアルインターフェイス３ｄを携帯電話機４のシリアル端子に接続する方法としては、例えば図３（ａ）に示すように、携帯電話機４とこの第１実施例のＩＣタグ読取装置１とを縦に並べて、この第１実施例のＩＣタグ読取装置１のケース５のコネクタ５ｂを携帯電話機４のシリアル端子に直接差し込む方法や、図３（ｂ）に示すように、ケース５にコネクタ５ｂを逆向きにかつケース５の正面側に突出させて設けるとともに、ここでは図示しないが読取ボタン５ａをケース５の側面に設け、携帯電話機４とこの第１実施例のＩＣタグ読取装置１とを重ねあわせて、ケース５のコネクタ５ｂを携帯電話機４のシリアル端子に直接差し込む方法、さらには図３（ｃ）に示すように、この第１実施例のＩＣタグ読取装置１のケース５のコネクタ５ｂを携帯電話機４のシリアル端子に接続ケーブル５ｃを介して接続する方法等がある。なお、図中符号６はＩＣタグを示す。
【００１９】
そしてここにおけるマイコン部３は、読取ボタン５ａを押されると起動して、メモリ３ｂにあらかじめ与えられたプログラムに基づき、例えば以下のＩＤ照会動作を行う。すなわち、先ず、ＲＦＩＤリーダ部２に読み取り開始命令を出力する。次いで、ＲＦＩＤリーダ部２がＩＣタグから読み取ったＩＤデータをＲＦＩＤリーダ部２から受け取り、そのＩＤデータをメモリ３ｂに一旦記憶する。次いで、携帯電話機４にその携帯電話機４が持つメーラ（電子メール送受信部）を起動させる命令を出力する。
【００２０】
次いでマイコン部３は、メモリ３ｂにあらかじめ与えられた、各種ＩＤにそれぞれ対応するあて先情報に基づき、上記記憶したＩＤデータに対応する詳細情報をデータベースとして持つＷＥＢサーバのメールアドレスを選択してそれを携帯電話機４の上記メーラに電子メールの「あて先」として転送するとともに、その記憶したＩＤデータに対応するデータベースの種類を電子メールの「題名」として転送し、さらにその記憶したＩＤデータを電子メールの「本文」として転送する。そしてその後、携帯電話機４の上記メーラに電子メール送信命令を出力する。従って、マイコン部３のメモリ３ｂは、あて先メモリおよび情報メモリに相当する。
【００２１】
図４は、上記第１実施例のＩＣタグ読取装置１を用いてＩＣタグ内のＩＤデータに関する詳細情報を照会する際の手順を例示する説明図であり、ここでは先ず図４（ａ）に示すように、例えばＩＣタグ読取装置１のケース５のコネクタ５ｂを携帯電話機４のシリアル端子（拡張コネクタ）に接続ケーブル５ｃを介して接続することでＩＣタグ読取装置１を携帯電話機４に接続し、次いでこの例では、これから読み取るＩＣタグ６が装着された対象物の種類（例えば名刺）から、携帯電話機４の上記メーラの電話帳にあらかじめ記憶させてある、そのＩＣタグ６が持つＩＤデータ（例えば会社名と氏名）に対応する詳細情報（例えば住所等）をデータベースとして持つＷＥＢサーバを選択して、図４（ｂ）に示すように、その選択したＷＥＢサーバのメールアドレスに携帯電話機４を接続し、ここでは図示しないが、そのＩＣタグ６が持つＩＤデータに対応するデータベースの種類（例えば住所録）を電子メールの「題名」として入力する。
【００２２】
次いで図４（ｃ）に示すように、ＩＣタグ読取装置１をＩＣタグ６にかざして読取ボタン５ａを押すと、ＩＣタグ読取装置１が、そのＩＣタグ６が持つＩＤデータを読み取って一旦メモリ３ｂに記憶した後、そのＩＤデータを電子メールの本文として携帯電話機４の上記メーラに転送する。これにより携帯電話機４の上記メーラは、図４（ｄ）に示すように、ＩＣタグ６から読み取ったＩＤデータを携帯電話機４の画面上に表示する。
【００２３】
次いで図４（ｅ）に示すように、携帯電話機４の上記メーラにより、そのＩＤデータ（例えば会社名と氏名）を「本文」とするとともにそのＩＤデータに対応するデータベースの種類（例えば住所録）を「題名」とした電子メールを、先に接続したＷＥＢサーバ７へインターネットＩＮ経由で送信する。これにより図４（ｆ）に示すように、ＷＥＢサーバ７は、上記「題名」で指定された種類のデータベース７ａを検索して、そのデータベース７ａから上記「本文」で指定されたＩＤデータに対応する詳細情報（例えば役職名、住所、電話番号等）を読み出し、その詳細情報を電子メールで上記携帯電話機４に返信する。そして携帯電話機４の上記メーラは、その返信された詳細情報を携帯電話機４の画面上に表示する。
【００２４】
なお、上記手順例では携帯電話機４の上記メーラの電話帳に、ＩＣタグ６が持つＩＤデータに対応する詳細情報をデータベースとして持つＷＥＢサーバのメールアドレスをあらかじめ記憶させておいたが、先に記したようにそのメールアドレスをあて先情報としてＩＣタグ読取装置１のマイコン部３のメモリ３ｂにあらかじめ記憶させておいて、ＩＣタグ６から読み取ったＩＤデータに対応する詳細情報をデータベースとして持つＷＥＢサーバのメールアドレスをマイコン部３が選択して携帯電話機４の上記メーラに転送するようにしても良い。
【００２５】
従って、上記第１実施例のＩＣタグ読取装置１によれば、ＩＣタグ６からの情報を携帯電話機４から電子メールで送信し得て、そのＩＣタグ６からの情報を、携帯電話機４の画面上に表示させて確認したり、その情報に対応するデータベース７ａを持つＷＥＢサーバ７に送信して、その情報（例えば商品の識別番号等）に対応する詳細情報（例えば商品の仕様情報）をデータベース７ａで検索させ、ＷＥＢサーバ７から上記携帯電話機４に送り返させることができる。
【００２６】
しかも、上記第１実施例のＩＣタグ読取装置１によれば、既に広く普及している携帯電話機４に接続するので、安価でコンパクトに構成することができ、それゆえＩＣ６タグ内の情報を手軽に読み取って利用することができる。
【００２７】
さらに、上記第１実施例のＩＣタグ読取装置１によれば、マイコン部３は、転送したＩＣタグ６からのＩＤデータに対応するデータベース７ａを持つＷＥＢサーバ７のメールアドレスを電子メールの「あて先」として記憶するとともにそのデータベースの種類を電子メールの「題名」として記憶しているメモリ３ｂを有し、携帯電話機４のメーラの作動を制御して、その携帯電話機４に、メモリ３ｂが記憶しているあて先のＷＥＢサーバ７へ向けてＩＣタグ６からの情報を電子メールで送信させることから、ＩＣタグ６からのＩＤデータ（例えば商品の識別番号等）に対応する詳細情報（例えば商品の仕様情報）をデータベース７ａで検索させ、ＷＥＢサーバ７から上記携帯電話機４に送り返させるといった利用方法を、利用者によるそのＷＥＢサーバ７のアドレス入力を不要とし得て、極めて容易なものとすることができる。
【００２８】
また、上記第１実施例のＩＣタグ読取装置１によれば、マイコン部３は、ＩＣタグ６からのＩＤデータを一旦記憶するメモリ３ｂを有し、ＩＣタグ６からのＩＤデータを直接携帯電話機４に転送せずにメモリ３ｂに一旦記憶するので、ＩＤデータの読取速度と読取精度とを高めることができる。
【００２９】
図５は、この考案の携帯電話機用ＩＣタグ読取装置の第２実施例の構成を示す構成図であり、図中符号１１で示すこの第２実施例のＩＣタグ読取装置は、ＦＯＭＡ方式の携帯電話機等の、ＵＳＢ端子を持つ携帯電話機に接続して用いるもので、制御手段としてのマイコン部３の構成が異なる以外は、先の第１実施例と同一の構成を具えている。
【００３０】
すなわち、この第２実施例のＩＣタグ読取装置１１におけるマイコン部３は、第１実施例における二つのシリアルインターフェイス３ｃ，３ｄのうちの一方であるシリアルインターフェイス３ｄの代わりにＵＳＢインターフェイス３ｅを持つとともに、ＵＳＢ規格に沿ったデータ入出力を行うＵＳＢホスト機能を持ち、そのＵＳＢインターフェイス３ｅを、図３（ａ）〜（ｃ）に示す如くして、ＦＯＭＡ方式の携帯電話機８等の携帯電話機のＵＳＢ端子に接続される。
【００３１】
かかる第２実施例のＩＣタグ読取装置１１によれば、ＦＯＭＡ方式の携帯電話機８等のＵＳＢ端子を持つ携帯電話機に接続して用いることで、先の第１実施例のＩＣタグ読取装置１と同様の作用効果を得ることができる。
【００３２】
図６は、この考案の携帯電話機用ＩＣタグ読取装置の第３実施例の構成を示す構成図であり、図中符号２１で示すこの第３実施例のＩＣタグ読取装置は、ＦＯＭＡ方式の携帯電話機８等のＵＳＢ端子または、ＰＤＣ方式の携帯電話機４等のシリアル端子に接続して用いるもので、ＵＳＢホスト手段としてのＵＳＢホスト部９をさらに具える以外は、先の第１実施例と同一の構成を具えている。
【００３３】
すなわち、この第３実施例のＩＣタグ読取装置２１におけるＵＳＢホスト部９は、第１実施例における二つのシリアルインターフェイス３ｃ，３ｄのうちの一方であるシリアルインターフェイス３ｄに接続されるシリアルインターフェイス９ａと、ＵＳＢインターフェイス９ｂとの二つのインターフェイスを持って、シリアルデータとＵＳＢ規格に沿ったデータとの間の変換を行うものであり、そのＵＳＢインターフェイス９ｂを、図３（ａ）〜（ｃ）に示す如くして、ＦＯＭＡ方式の携帯電話機８等の携帯電話機のＵＳＢ端子に接続し得るとともに、先の第１実施例と同様にシリアルインターフェイス３ｄを、ＰＤＣ方式の携帯電話機４等のシリアル端子に接続することもできる。なお、このＩＣタグ読取装置２１には、ＰＤＣ方式の携帯電話機４等のシリアル端子を接続する際にはシリアルインターフェイス３ｄとシリアルインターフェイス９ａとの接続を切る図示しない切り替え回路が設けられている。
【００３４】
かかる第３実施例のＩＣタグ読取装置２１によれば、ＰＤＣ方式の携帯電話機４等のシリアル端子を持つ携帯電話機と、ＦＯＭＡ方式の携帯電話機８等のＵＳＢ端子を持つ携帯電話機とに併用し得て、それら携帯電話機の何れに用いても先の第１実施例のＩＣタグ読取装置１と同様の作用効果を得ることができる。
【００３５】
図７は、この考案の携帯電話機用ＩＣタグ読取装置の第４実施例の構成を示す構成図であり、図中符号３１で示すこの第４実施例のＩＣタグ読取装置は、ＦＯＭＡ方式の携帯電話機８またはＰＤＣ方式の携帯電話機４等が持つ赤外線端子に接続して用いるもので、赤外線通信モジュールとしての赤外線通信部１０をさらに具える以外は、先の第１実施例と同一の構成を具えている。
【００３６】
すなわち、この第４実施例のＩＣタグ読取装置３１における赤外線通信部１０は、第１実施例における二つのシリアルインターフェイス３ｃ，３ｄのうちの一方であるシリアルインターフェイス３ｄに接続されるシリアルインターフェイス１０ａと、赤外線発光・受光器１０ｂとを持って、ＩＣタグ６からのＩＤデータと携帯電話機の制御情報とのシリアルデータの赤外線データの変換を含む、シリアルデータと赤外線通信規格に沿った赤外線データとの間の変換を行うものであり、その赤外線発光・受光器１０ｂを、ＦＯＭＡ方式の携帯電話機８またはＰＤＣ方式の携帯電話機４等が持つ赤外線端子（赤外線発光・受光器）に赤外線を介して光接続することができる。
【００３７】
かかる第４実施例のＩＣタグ読取装置３１によれば、ＰＤＣ方式の携帯電話機４やＦＯＭＡ方式の携帯電話機８等の赤外線端子を持つ携帯電話機に接続して用いることで、先の第１実施例のＩＣタグ読取装置１と同様の作用効果を得ることができる。
【００３８】
以上、図示例に基づき説明したが、この考案は上述の例に限定されるものでなく、実用新案登録請求の範囲の記載の範囲内で当業者であれば適宜変更し得るものである。例えば、携帯電話機で接続するサーバは、インターネットで接続されるＷＥＢサーバでなく、通常の電話回線や専用回線で接続されるサーバでも良い。
【産業上の利用可能性】
【００３９】
かくしてこの考案の携帯電話機用ＩＣタグ読取装置によれば、ＩＣタグからの情報を携帯電話機から電子メールで送信し得るので、例えばそのＩＣタグからの情報を、携帯電話機の画面上に表示させて確認したり、その情報に対応するデータベースを持つサーバに送信して、その情報（例えば商品の識別番号等）に対応する詳細情報（例えば商品の仕様情報）をデータベースで検索させ、サーバから上記携帯電話機に送り返させたりするといった利用方法が可能になる。
【００４０】
しかも、この考案の携帯電話機用ＩＣタグ読取装置によれば、既に広く普及している携帯電話機に接続するので、安価でコンパクトに構成することができ、それゆえＩＣタグ内の情報を手軽に読み取って利用することができる。
【図面の簡単な説明】
【００４１】
【図１】この考案の携帯電話機用ＩＣタグ読取装置の第１実施例の構成を示す構成図である。
【図２】（ａ），（ｂ）および（ｃ）は、上記第１実施例の携帯電話機用ＩＣタグ読取装置の外観を示す正面図、背面図および側面図である。
【図３】（ａ），（ｂ）および（ｃ）は、上記第１実施例の携帯電話機用ＩＣタグ読取装置と携帯電話機との複数種類の接続方法を示す説明図である。
【図４】上記第１実施例のＩＣタグ読取装置を用いてＩＣタグ内のＩＤデータに関する詳細情報を照会する際の手順を例示する説明図である。
【図５】この考案の携帯電話機用ＩＣタグ読取装置の第２実施例の構成を示す構成図である。
【図６】この考案の携帯電話機用ＩＣタグ読取装置の第３実施例の構成を示す構成図である。
【図７】この考案の携帯電話機用ＩＣタグ読取装置の第４実施例の構成を示す構成図である。
【符号の説明】
【００４２】
１，１１，２１，３１，  ＩＣタグ読取装置
２  ＲＦＩＤリーダ部
２ａ  ＲＦＩＤリーダ回路
２ｂ  アンテナ
２ｃ  シリアルインターフェイス
３  マイコン部
３ａ  ＣＰＵ
３ｂ  メモリ
３ｃ，３ｄ，９ａ，１０ａ  シリアルインターフェイス
３ｅ，９ｂ  ＵＳＢインターフェイス
４，８  携帯電話機
５  ケース
５ａ  読取ボタン
５ｂ  コネクタ
５ｃ  接続ケーブル
６  ＩＣタグ
７  ＷＥＢサーバ
７ａ  データベース
９  ＵＳＢホスト部
１０  赤外線通信部
１０ｂ  赤外線発光・受光器
【図１】
0003104763.tif 000003
【図２】
0003104763.tif 000004
【図３】
0003104763.tif 000005
【図４】
0003104763.tif 000006
【図５】
0003104763.tif 000007
【図６】
0003104763.tif 000008
【図７】
0003104763.tif 000009